(57)【要約】【課題】継ぎ目がなくて端がないかまたは形式可変の印刷画像を基材ウェブにオフセット印刷で印刷するのに役立つ、印刷板を製作するための新しいタイプの方法および対応する装置を提供する。【解決手段】印刷される印刷画像の各印刷色に関して、それぞれの印刷色の全体分離が少なくとも2つの印刷板に分割され、第1の印刷板で、それぞれの印刷色の全体分離の第1の一部分離が基材に印刷でき、かつ第2の印刷板で、それぞれの印刷色の全体分離の第2の一部分離が基材に印刷でき、それぞれの印刷色の全体分離は、第1の部分での基材ウェブが、第1の印刷板の第1の一部分離によって排他的に印刷でき、第2の部分での基材ウェブが、第2の印刷板の第2の一部分離によって排他的に印刷でき、かつ、第3の部分での基材ウェブが、第1の印刷板の第1の一部分離と第2の印刷板の第2の一部分離とによって、重ね合せまたは上塗りの手法で印刷できる。【選択図】なし【特許請求の範囲】
【請求項１】
継ぎ目がないかまたは移行部がなくて、端がないかまたは形式可変の印刷画像を基材ウェブにオフセット印刷で印刷するのに役立つ印刷板を製作するための方法であって、
印刷される前記印刷画像の各印刷色に関して、それぞれの前記印刷色の全体分離が少なくとも2つの印刷板に分割され、そのため、第1の印刷板で、それぞれの前記印刷色の前記全体分離の第1の一部分離が前記基材に印刷でき、かつ、第2の印刷板で、それぞれの前記印刷色の前記全体分離の第2の一部分離が前記基材に印刷できる方法において、
それぞれの前記印刷色の前記全体分離は、第1の部分での前記基材ウェブが、前記第1の印刷板の前記第1の一部分離によって排他的に印刷でき、第2の部分での前記基材ウェブが、前記第2の印刷板の前記第2の一部分離によって排他的に印刷でき、かつ、第3の部分での前記基材ウェブが、前記第1の印刷板の前記第1の一部分離と前記第2の印刷板の前記第2の一部分離とによって、重ね合せまたは上塗りの手法で印刷できるような仕方で、前記一部分離同士に分割されることを特徴とする方法。
【請求項２】
それぞれの前記印刷色の前記全体分離は、それぞれの前記印刷色に関する前記基材ウェブの前記第1の部分についての前記第1の一部分離が、それぞれの領域範囲のおおよそ100%の領域構成部を提供し、それぞれの前記印刷色に関する前記基材ウェブの前記第2の部分についての前記第2の一部分離が、それぞれの領域範囲のおおよそ100%の領域構成部を提供し、かつ、前記基材ウェブの前記第3の部分については、前記第1の一部分離がそれぞれの領域範囲の位置依存性の第1の領域構成部を提供し、前記第2の一部分離がそれぞれの領域範囲の位置依存性の第2の領域構成部を提供するような仕方で、前記一部分離同士に分割されることを特徴とする、請求項1に記載の方法。
【請求項３】
それぞれの前記印刷色の前記全体分離は、前記第1の一部分離の前記第1の領域構成部および前記第2の一部分離の前記第2の領域構成部がある前記基材ウェブの前記第3の部分において、それぞれの前記印刷色のそれぞれの前記領域範囲の全体で最大100%の領域構成部が、前記基材ウェブの前記第3の部分の各々の位置で前記基材に印刷できるような仕方で、それぞれの前記印刷色の前記一部分離同士に分割されることを特徴とする、請求項1または2に記載の方法。
【請求項４】
それぞれの前記印刷色の前記全体分離は、前記第1の一部分離の前記第1の領域構成部および前記第2の一部分離の前記第2の領域構成部がある前記基材ウェブの前記第3の部分において、それぞれの前記印刷色のそれぞれの前記領域範囲の全体で100%超の領域構成部が、前記第3の部分の少なくとも一部の位置で前記基材に過剰に印刷できるような仕方で、それぞれの前記印刷色の前記一部分離同士に分割されることを特徴とする、請求項1または2に記載の方法。
【請求項５】
それぞれの前記印刷色の前記全体分離は、前記基材ウェブの前記第3の部分に関して、それぞれの前記領域範囲の前記第1の一部分離の前記位置依存性の第1の領域構成部、および、それぞれの前記領域範囲の前記第2の一部分離の前記位置依存性の第2の領域構成部が、傾斜によって各々形成されるような仕方で、それぞれの前記印刷色の前記一部分離同士に分割されることを特徴とする、請求項1から4のいずれか一項に記載の方法。
【請求項６】
それぞれの前記印刷色の前記全体分離は、前記基材ウェブの前記第1の部分から前記基材ウェブの前記第2の部分の方向へと始まる前記基材ウェブの前記第3の部分で、前記第1の一部分離の前記領域構成部が第1の構成部から第2の構成部へと減少し、前記第2の一部分離の前記領域構成部が前記第2の構成部から前記第1の構成部へと増加し、一方、前記基材ウェブの前記第2の部分から前記基材ウェブの前記第1の部分の方向へと始まる前記基材ウェブの前記第3の部分で、前記第2の一部分離の前記領域構成部が前記第1の構成部から前記第2の構成部へと減少し、前記第1の一部分離の前記領域構成部が前記第2の構成部から前記第1の構成部へと増加するような仕方で、それぞれの印刷色の前記一部分離同士に分割されることを特徴とする、請求項1から5のいずれか一項に記載の方法。
【請求項７】
移行位置の目視の非検出性を確実とするために、前記第1の構成部は80%から100%の範囲にあり、前記第2の構成部は20%から0%の範囲にある、請求項6に記載の方法。
【請求項８】
それぞれの前記印刷色の前記全体分離は、前記2つの一部分離の上塗りの程度に応じて起こる諧調値補正によって、印刷中に前記2つの一部分離の上塗りの間に予測される諧調値の変動が補正できるような仕方で、それぞれの印刷色の前記一部分離同士に分割されることを特徴とする、請求項1から7のいずれか一項に記載の方法。
【請求項９】
前記一部分離が上塗りされない前記第1の部分および前記第2の部分に関しては、諧調値補正が行われず、前記一部分離が上塗りされる前記第3の部分に関しては、位置依存性の諧調値補正は、諧調値増加が、前記一部分離の前記領域構成部同士がほとんど同じであるような前記第3の部分の位置で最大になるような仕方で行われることを特徴とする、請求項8に記載の方法。
【請求項１０】
前記一部分離が上塗りされない前記第1の部分および前記第2の部分に関しては、諧調値減少が行われ、前記一部分離が上塗りされる前記第3の部分に関しては、位置依存性の諧調値減少が、前記一部分離の前記領域構成部同士がほとんど同じであるような前記第3の部分の位置で最小になるような仕方で行われることを特徴とする、請求項9に記載の方法。
【請求項１１】
a)印刷される各印刷色に関して、それぞれの前記印刷色の全体分離を提供するステップであって、前記全体分離の長さは、印刷するための前記印刷板が配置される板胴の円周方向の延在より大きいステップと、
b)印刷される各印刷色の前記全体分離を、一次スクリーンを形成するために遮るステップと、
c)印刷される各印刷色の前記一次スクリーンを、前記一次スクリーンのスクリーン周波数よりスクリーン周波数が大きい二次スクリーンによって、それぞれの印刷色に関しての遮られた一部分離へと分割するステップであって、前記第1の一部分離を作り出すために、前記一次スクリーンを前記二次スクリーンで、上塗り具体的には消去し、前記第2の一部分離を作り出すために、前記一次スクリーンを反転された前記二次スクリーンで、上塗り具体的には消去するステップと、
d)前記一部分離の長さを、最大であっても前記印刷板の円周方向の延在の長さに制限するステップであって、少なくとも1つの一部分離が、前記印刷板の円周方向の延在の長さよりも短く成り得るステップと
を含むことを特徴とする、請求項1から10のいずれか一項に記載の方法。
【請求項１２】
前記一次スクリーンを形成するために前記全体分離を遮る前記ステップの前に、まだ遮られていない前記全体分離が、言わば、前記印刷画像の前記一部分離の前記上塗りを通じて予測される諧調値の変動が補正されるような仕方で、諧調値補正を受けることを特徴とする、請求項11に記載の方法。
【請求項１３】
前記全体分離の長さが、印刷のための前記印刷板が配置される前記板胴の円周方向の延在よりおおよそ50%長く、前記全体分離と比較された両方の前記一部分離が、各々1/3だけ、つまり、前記全体分離の第1の端部に基づく前記第1の一部分離と前記全体分離の第2の端部に基づく前記第2の一部分離とによって、おおよそ短くされることを特徴とする、請求項11または12に記載の方法。
【請求項１４】
継ぎ目がないかまたは移行部がなくて、端がないかまたは形式可変の印刷画像を基材ウェブにオフセット印刷で印刷するのに役立つ印刷板を製作するための装置であって、請求項1から12のいずれか一項に記載の方法を自動的に行うための手段を特徴とする装置。
【請求項１５】
継ぎ目がないかまたは移行部がなくて、端がないかまたは形式可変の印刷画像を基材ウェブにオフセット印刷で印刷するための方法であって、
印刷される前記印刷画像の各印刷色に関して、それぞれの前記印刷色の全体分離が、第1の印刷板で、それぞれの前記印刷色の第1の一部分離が前記基材に印刷され、かつ、第2の印刷板で、それぞれの前記印刷色の第2の一部分離が前記基材に印刷されるような仕方で、少なくとも2つの印刷板で前記基材に適用され、
前記基材ウェブの第1の部分で排他的に、記第1の印刷板の前記第1の一部分離が前記基材に印刷し、前記基材ウェブの第2の部分で排他的に、記第2の印刷板の前記第2の一部分離が前記基材に印刷し、かつ、第3の部分で、前記第1の印刷板の前記第1の一部分離と前記第2の印刷板の前記第2の一部分離とが、前記基材に、重ね合せまたは上塗りの手法で、つまり、請求項1から12のいずれか一項に記載の方法によって製作された印刷板を用いて印刷することを特徴とする方法。
【発明の詳細な説明】
【技術分野】
【０００１】
本発明は、請求項1の前提部分による、継ぎ目がないかまたは移行部がなくて端がないかまたは形式可変の印刷画像を基材ウェブにオフセット印刷によって印刷するのに役立つ印刷板を製作するための方法に関する。さらに、本発明は、このような印刷板を製作するための装置と、少なくとも2つの印刷板を用いるオフセット印刷において、このような印刷板から作られる、継ぎ目がないかまたは移行部がなくて端がないかまたは形式可変の印刷画像を基材ウェブに印刷するための方法とに関する。
【背景技術】
【０００２】
例えば包装紙、壁紙、またはギフト用包装紙を製作するために、継ぎ目がないかまたは移行部がなくて端がない印刷画像を基材ウェブに印刷することへの要求が増加している。
【０００３】
オフセット印刷では、継ぎ目がないかまたは移行部がなくて端がないかまたは形式可変の印刷画像を基材ウェブに印刷することは、現在まで不十分な度合いでしか可能ではなかったが、それは、定められた長さ、および/または、これに加えて印刷のない領域を有するオフセット印刷の印刷板が使用され、一般的に締付溝と呼ばれる、印刷板を印刷板胴に取り付けるための装置が、印刷のない領域を印刷中に基材に後に残してしまうためである。したがって、限られた長さおよび/または印刷無し領域を有する印刷板を使用するオフセット印刷で、継ぎ目がなくて端がないかまたは形式可変の印刷が実施されることになる場合、それぞれの印刷インクの全体分離は、印刷される印刷インクの各印刷色用に少なくとも2つの印刷板に分割される必要があり、そのため、第1の印刷板で、それぞれの印刷インクの全体分離の第1の一部分離が基材に印刷でき、かつ、第2の印刷板で、印刷色の全体分離の第2の一部分離が基材に印刷できる。
【０００４】
ここで、限られた長さが同じである結果として第1の印刷板の第1の一部分離で印刷できない、印刷される基材ウェブのそれらの領域または部分での第2の印刷板の第2の一部分離が、実務に従って提供される。したがって、第2の印刷板の第2の一部分離は、第1の印刷板の第1の一部分離が基材を印刷できない領域で、第1の印刷板の第1の一部分離を埋め合わせる。これは、例えば見当合せの誤りの結果といったため、可能ではあるが不十分な度合いまでであり、その結果、オフセット印刷では、継ぎ目がないかまたは移行部がなくて端がないかまたは形式可変の印刷は、限られた度合いまでしか可能ではない。そのため、オフセット印刷で、継ぎ目がないかまたは端がない印刷を、実質的な品質の制約なしで可能にする印刷板への要求がある。
【発明の概要】
【発明が解決しようとする課題】
【０００５】
これを起点として、本発明は、継ぎ目がなくて端がないかまたは形式可変の印刷画像を基材ウェブにオフセット印刷で印刷するのに役立つ、印刷板を製作するための新しいタイプの方法および対応する装置と、継ぎ目がなくて端がないかまたは形式可変の印刷画像を基材ウェブにオフセット印刷で印刷するための対応する方法とを作り出すという目的に基づいている。
【課題を解決するための手段】
【０００６】
この目的は、請求項1による印刷板を製作するための方法を通じて解決される。
【０００７】
本発明によれば、それぞれの印刷インクの全体分離は、第1の部分での基材ウェブが、第1の印刷板の第1の一部分離によって排他的に印刷でき、第2の部分での基材ウェブが、第2の印刷板の第2の一部分離によって排他的に印刷でき、かつ、第3の部分での基材ウェブが、第1の印刷板の第1の一部分離と第2の印刷板の第2の一部分離とによって、重ね合せまたは上塗りの手法で印刷できるような仕方で、一部分離同士に分割される。
【０００８】
ここでの本発明によって、印刷される各印刷色を印刷するための複数の印刷板を準備しておくことが提案され、その場合、各印刷色の全体分離は、言わば、一部分離同士の間に硬いまたは鋭利な移行刃部がないので、印刷が印刷板の一部分離で重ね合せまたは上塗りの手法で実施されるような仕方で、複数の一部分離に、したがって複数の印刷板に分割される。したがって、各印刷色の全体分離は、基材ウェブが、第1の部分で第1の印刷板の第1の一部分離によって排他的に印刷でき、第2の部分で第2の印刷板の第2の一部分離によって排他的に印刷でき、しかしながら第3の部分では、基材ウェブが、第1の印刷板の第1の一部分離と第2の印刷板の第2の一部分離とで、重ね合せまたは上塗りの手法で印刷できるような仕方で、一部分離同士に分割される。このため、オフセット印刷において、継ぎ目がなくて端がないかまたは形式可変の印刷が高品質に実施できる。
【０００９】
この関連で、領域構成部の定義が導入される。これは、印刷工程に含まれる少なくとも2つの印刷板の印刷画像の分割である。したがって、領域構成部は概して0%から100%の間であるが、これは、印刷または画像のドットを印刷に含まれる少なくとも2つの印刷板に分割することが、分割されていない印刷画像と比較して視覚的印象の変化を導き、そのため元の印刷画像の同一の視覚的再生をもたらさない可能性があるためである。
【００１０】
本発明の有利な発展態様によれば、それぞれの印刷色の全体分離は、基材ウェブの第1の部分での第1の一部分離が、それぞれの印刷色に関してそれぞれの領域範囲の100%の領域構成部を提供し、基材ウェブの第2の部分での第2の一部分離が、それぞれの印刷色に関してそれぞれの領域範囲の100%の領域構成部を提供し、かつ、基材ウェブの第3の部分については、第1の一部分離がそれぞれの領域範囲の位置依存性の第1の領域構成部を提供し、第2の一部分離がそれぞれの領域範囲の位置依存性の第2の領域構成部を提供するような仕方で、一部分離同士に分割される。本発明のこの有利なさらなる発展態様は、印刷製品の高品質印刷を、継ぎ目がなくて端がないかまたは形式可変の印刷画像で、オフセット印刷において可能にする。
【００１１】
優先的には、それぞれの印刷色の全体分離は、第1の一部分離の第1の領域構成部および第2の一部分離の第2の領域構成部がある基材ウェブの第3の部分では、それぞれの印刷色のそれぞれの領域範囲の全体で100%超の領域構成部が、基材ウェブの第3の部分の少なくとも一部の位置で過剰な手法で基材に印刷できるような仕方で、それぞれの印刷色の一部分離同士に分割される。あるいは、それぞれの印刷色の全体分離は、第1の一部分離の第1の領域構成部および第2の一部分離の第2の領域構成部がある基材ウェブの第3の部分では、それぞれの印刷色のそれぞれの領域範囲の全体で100%の領域構成部が、第1の一部分離の第1の領域構成部および第2の一部分離の第2の領域構成部のある基材ウェブの第3の部分で基材に印刷できるような仕方で、それぞれの印刷色の一部分離同士に分割される。具体的には、基材ウェブの第3の部分では、2つの一部分離は、同じ過剰さで印刷が第3の部分で実施でき、高品質な継ぎ目がなくて端がないかまたは形式可変の印刷がオフセット印刷で実現できるような仕方で構成される。
【００１２】
本発明の有利なさらなる発展態様によれば、それぞれの印刷色の全体分離は、2つの一部分離の上塗りの程度に応じて実施される2つの一部分離の上塗りの間の諧調値補正によって、予測される諧調値の変動が補正されるような仕方で、それぞれの印刷色の一部分離同士に分割される。諧調値補正により、オフセット印刷における継ぎ目がなくて端がないかまたは形式可変の印刷の間のさらなる品質の向上が可能である。
【００１３】
本発明による、このような印刷板を製作するための装置は、請求項13に定められており、オフセット印刷において、このような印刷板を用いて、継ぎ目がないかまたは端がない印刷画像を基材ウェブに印刷するための方法が、請求項14に定められている。
【００１４】
本発明の好ましいさらなる発展形態は、従属請求項および以下の説明から得られる。
【発明を実施するための形態】
【００１５】
本発明は、継ぎ目がなくて端がないかまたは形式可変の印刷画像を基材ウェブにオフセット印刷で印刷するのに役立つ印刷板を製作するための方法に関する。本発明は、さらに、このような印刷板に印刷するための装置と、このような印刷板を利用するオフセット印刷において、継ぎ目がないかまたは移行部がなくて端がないかまたは形式可変の印刷画像を基材ウェブに印刷するための方法とに関する。
【００１６】
継ぎ目がないかまたは移行部がなくて端がないかまたは形式可変の印刷の間に基材に適用される各印刷色に関して、それぞれの印刷色の全体分離は、第1の印刷板で、それぞれの印刷色の全体分離の第1の一部分離が基材に印刷でき、かつ、第2の印刷板で、それぞれの印刷色の全体分離の第2の一部分離が基材に印刷できるように、少なくとも2つの印刷板に分割される。
【００１７】
この場合に本発明によるそれぞれの印刷色の全体分離は、第1の部分での基材ウェブが、第1の印刷板の第1の一部分離によって排他的に印刷でき、第2の部分での基材ウェブが、第2の印刷板の第2の一部分離によって排他的に印刷でき、かつ、第3の部分での基材ウェブが、第1の印刷板の第1の一部分離と第2の印刷板の第2の一部分離とによって、重ね合せまたは上塗りの手法で印刷でき、その結果、各印刷色の一部分離同士の間で、硬い刃のような移行部がなく、むしろ、穏やかに交わる移行部が印刷画像にあるような仕方で、一部分離同士に分割される。
【００１８】
具体的には、それぞれの印刷色の全体分離は、それぞれの印刷色に関する基材ウェブの第1の部分の第1の一部分離で、それぞれの印刷色のそれぞれの領域範囲の100%の領域構成部が基材ウェブに印刷でき、それぞれの印刷色に関する基材ウェブの第2の部分の第2の一部分離によって、それぞれの印刷色のそれぞれの領域範囲の100%の領域構成部が基材ウェブに印刷でき、基材ウェブの第3の部分では、第1の一部分離で、それぞれの領域範囲の位置依存性の第1の領域構成部が基材ウェブに印刷でき、第2の一部分離で、それぞれの印刷色のそれぞれの領域範囲の位置依存性の第2の領域構成部が基材ウェブに印刷できるような仕方で、オフセット印刷板の製作の間に一部分離同士に分割される。
【００１９】
ここで、第1の一部分離の第1の領域構成部および第2の一部分離の第2の領域構成部がある基材ウェブの第3の部分では、基材ウェブの第3の部分の各位置で、それぞれの印刷色のそれぞれの領域範囲の各々の全体で100%の領域構成部が、基材に印刷されることが、提供され得る。
【００２０】
しかしながら、好ましいのは、第1の一部分離の第1の領域構成部および第2の一部分離の第2の領域構成部がある基材ウェブの第3の部分で、基材ウェブの第3の部分の少なくとも一部の位置であって、優先的には各位置において、それぞれの印刷色のそれぞれの領域範囲の全体で100%超の領域構成部が、過剰な手法で基材に印刷できるような仕方で、全体分離が一部分離同士に分割される構成である。これは、このことによって、特定の有利な高品質の継ぎ目がないかまたは移行部がなくて端がないかまたは形式可変の印刷がオフセット印刷で基材ウェブに可能なためである。
【００２１】
したがって、上記の関係から、第1の部分での基材ウェブは、第1の印刷板の第1の一部分離によって排他的に印刷されることになる。基材ウェブの第2の一部分離では、基材ウェブが、第2の印刷板の第2の一部分離によって排他的に印刷される。基材ウェブの第3の部分では、同じものが、重ね合せまたは上塗りの手法で、2つの印刷板の両方の一部分離によって、つまり優先的に言えば、過剰な手法で印刷される。
【００２２】
この場合でのそれぞれの印刷色の全体分離は、重ね合せまたは上塗りの印刷が両方の一部分離で実施される基材ウェブの第3の部分で、それぞれの領域範囲の第1の一部分離の位置依存性の第1の領域構成部と、それぞれの領域範囲の第2の一部分離の位置依存性の第2の領域構成部とが、傾斜によって描写され、その結果、領域構成部が傾斜に応じて連続的に変化するような仕方で、それぞれの印刷色の一部分離同士に優先的に分割される。
【００２３】
したがって、それぞれの印刷色の全体分離は、基材ウェブの第1の部分から基材ウェブの第2の部分の方向へと始まる基材ウェブの第3の部分で、第1の一部分離の領域構成部が第1の構成部から第2の構成部へと減少し、第2の一部分離の領域構成部が第2の構成部から第1の構成部へと増加し、一方、基材ウェブの第2の部分から基材ウェブの第1の部分の方向へと始まる基材ウェブの第3の部分で、第2の一部分離の領域構成部が第3の構成部から第2の構成部へと減少し、第1の一部分離の領域構成部が第2の構成部から第1の構成部へと増加するような仕方で、それぞれの印刷色の一部分離同士に分割されることが、提供され得る。第1の構成部は、通常は100%まで達するが、例えば100%より小さく構成でき、例えば、対象物や基材などに応じて80%で構成できる。第2の構成部は、通常は0%まで達するが0%超でも具現化でき、例えば、対象物および/または基材の関数として、視覚的に検出可能な移行部を構成することなく20%まで具現化できる。これらの移行部は、優先的には、例えば線形、放物線(parabolic)、または他の勾配の形態で連続的に構成される。
【００２４】
本発明の有利なさらなる発展態様によれば、それぞれの印刷色の全体分離を、2つの一部分離の上塗りの印刷に応じて実施される2つの一部分離の上塗りの間の諧調値補正によって、印刷において予測される諧調値の変動が補正されるような仕方で、それぞれの印刷色の一部分離同士に分割されることが、提供される。
【００２５】
したがって、諧調値変動の諧調値補正のための第1の代替態様によれば、一部分離が上塗りされない基材ウェブの第1の部分および第2の部分に関しては、諧調値補正が行われず、対照的に、一部分離が印刷の間に上塗りされる基材ウェブの第3の部分に関しては、位置依存性の諧調値補正は、言わば、諧調値増加の形態での諧調値補正が、一部分離の領域構成部同士がほとんど同じであるような第3の部分の位置で最大になるような仕方で行われることが、提供され得る。優先的には、このような位置での諧調値の増加は最大になり、両方の一部分離が各々それぞれの印刷色のそれぞれの領域範囲の領域構成部のおおよそ50%を提供する。
【００２６】
代替態様によれば、諧調値補正は、一部分離が上塗りされない第1の部分および第2の部分に関して、諧調値低減が起こるような仕方で行われ得る。一部分離が上塗りされる第3の部分については、位置依存性の諧調値低減は、言わば、諧調値減少が、一部分離の領域構成部がほとんど同じであるような位置で最小になるような仕方で行われる。
【００２７】
本発明の特に有利な構成によれば、基材ウェブに継ぎ目がないかまたは移行部がなくて端がないかまたは形式可変の印刷をするためのオフセット印刷板は、印刷される各印刷色に関して、印刷板が印刷するために配置される板胴の円周方向の延在より大きいそれぞれの印刷色の全体分離が提供されるような仕方で製作される。
【００２８】
優先的には、それぞれの印刷色の全体分離の円周方向の延在は、板胴の筒の円周よりおおよそ50%長い。したがって、全体分離は、印刷に使用される板胴の筒の円周の150%に相当する長さで自由になっている。
【００２９】
本発明のさらに特に有利な構成によれば、全体分離の領域構成部の一部分離への配分は、全体分離のスクリーンに応じて行われる。一部分離が正しい見当合せで印刷される場合、互いに対するスクリーンドットの局所位置を含んだ使用されるスクリーンシステムは、全体分離の一部分離への分配に拘わらず、仕上がった印刷製品の印刷画像への制約なしで保持されることが保証される。各印刷色の遮られた全体分離が保存される。遮られた全体分離は、一次スクリーンを形成する。
【００３０】
本発明の有利な構成では、各印刷色の全体分離は、いわゆる一次スクリーンへと遮られ、そこでは、この場合に、非定期的に遮るまたは定期的に遮ることができる。
【００３１】
優先的には、諧調値補正は、言わば、前述のように、印刷の間に一部分離の上塗りの間に形成する諧調値の変動を補正するために、まだ遮られていない全体分離を遮る前に有効とされる。この諧調値補正は、優先的には、場所に依存した重み付けがされて実施され、その場合、諧調値補正は、優先的には、一部分離が印刷において最大の上塗りを発生させる一部分離の領域で、最大の効果がある。有利な構成によれば、諧調値補正のためのそれぞれの印刷色のまだ遮られていない全体分離をマスクするために、いわゆるアルファチャンネルが、この諧調値補正のために利用される。適切な諧調値の補正された全体分離は、後に遮られて、一次スクリーンを形成させられる。
【００３２】
有利な構成によれば、各印刷色の遮られた全体分離は、一次スクリーンのスクリーン周波数よりスクリーン周波数が小さいか、または、一次スクリーンのドットサイズよりドットサイズが大きい二次スクリーンのおかげで、それぞれの印刷色に関する遮られた一部分離に後で分割される。この目的のために、いわゆる上塗りマスクが最初に優先的に提供され、その上塗りマスクは、第3の部分での一部分離の上塗りまたは重ね合せを定め、遮られて、すなわち、非周期的または周期的に遮ることで、二次スクリーンを形成させられる。
【００３３】
一次スクリーンおよび二次スクリーンは、両方周期的または両方非周期的で各々あり得る。具体的には、両方のスクリーンが周期的であるとき、一次スクリーンのスクリーン周波数は、二次スクリーンのスクリーン周波数より大きい。さらに、一次スクリーンが周期的で二次スクリーンが非周期的であり得るし、反対に、一次スクリーンが非周期的で二次スクリーンが周期的であり得る。各々の場合で、二次スクリーンは一次スクリーンより粗くなっている。
【００３４】
第1の一部分離を作り出すために、一次スクリーンは、二次スクリーンで上塗りされ、優先的には消去される。第2の一部分離を作り出すために、一次スクリーンは、反転された二次スクリーンで上塗りされ、具体的には消去される。これに引き続いて、全体分離の長さを有する、それぞれの印刷色のための2つのスクリーンの一部分離が、存在する。
【００３５】
一部分離の長さは、その後に、印刷板の円周方向の延在の長さに限定され、具体的には、全体分離の長さが、印刷のために使用される板胴の円周方向の延在より50%長いとき、両方の一部分離が、全体分離との比較で1/3だけ、つまり、全体分離の第1の端部に基づく第1の一部分離と全体分離の反対側の第2の端部に基づく第2の一部分離とによって、各々短くされるような仕方で好ましくは限定される。
【００３６】
このように提供された各印刷色に関する一部分離は、継ぎ目がないかまたは移行部がなくて端がないかまたは形式可変のオフセット印刷のための印刷板を最終的に提供するために、印刷板を露光するために以下で使用される。
【００３７】
基材ウェブへの継ぎ目がないかまたは移行部がなくて端がないかまたは形式可変の印刷のためのオフセット印刷板を製作するための前述した一連の個々のステップは好ましいとされるが、一連の個々のステップは変更されてもよい。したがって、諧調値補正は、それぞれの印刷色の全体分離を遮る前に実施されてもよいし、または、それぞれの印刷色の全体分離を遮った後に実施されたとしてもよい。
【００３８】
さらに、一部分離の形成の間、一次スクリーンを、長さにおいて二次スクリーンまたは反転された二次スクリーンで上塗りする前に、製作される印刷板の円周方向の延在の長さに限定することが可能である。
【００３９】
本発明による方法により製作された印刷板は、典型的には、継ぎ目がないかまたは移行部がなくて端がないかまたは形式可変の印刷画像を基材ウェブに自由に印刷するために、リールから給紙される印刷機の対応する板胴に位置決めされる印刷板である。
【００４０】
基材に各印刷色のための上塗りまたは上塗りの手法で印刷する印刷板は、この場合、印刷版同士が互いと180°回転されて印刷し、したがって印刷板を受け入れるための締付溝同士が互いと180°オフセットされる板胴に、優先的に配置される。本発明により製作された印刷板を使用すると、基材ウェブは、継ぎ目がないかまたは移行部がなくて端がないかまたは形式可変の手法で高品質に印刷できる。
【００４１】
本発明による方法を利用するオフセット印刷板を製作するための装置は、本発明の自動的な実施または自動化された実施のための手段、すなわち、ソフトウェア側で実施される機能モジュールを備え、その助けによって、前述の仕方での各印刷色の全体分離が、一部分離に自動的または自動化されて分割できるプリプレス装置である。
【００４２】
先に説明したように、各印刷色に関して一部分離に結果的に分割される全体分離は、全体分離を形成するために再び補完され、その結果、印刷中に継ぎ目がないかまたは端がない印刷製品が得られる。一部分離同士の間の移行部は、重ね合せ、つまり、見当合せがずれた場合に後で視覚的に認識可能な滑らかさまたは段差のある縁の意味において硬くなく、むしろ、互いと穏やかに交わる。このため、高品質で継ぎ目がないかまたは移行部がなくて端がないかまたは形式可変の印刷が、オフセット印刷で実施され得る。
【外国語明細書】
2015042489000001.pdf